(57)【要約】【課題】安定した絶縁性を確保でき、耐リーク性に優れたスタータを提供する。【解決手段】回転軸１４の一端を支承するブラケット１５内に、整流子１６と、この整流子１６の周りにこれと当接するように配置され、外部電源３０に接続されるプラスブラシ１８と、このプラスブラシと対向して配置されたマイナスブラシ１９を収容した直流電動機からなるスタータモータ１と、このスタータモータに取り付けられ、外部電源とプラスブラシとの間を電気的に開閉するスタータスイッチ８とを備え、エンジン始動時にスタータスイッチを介して外部電源によりスタータモータを駆動すると共に、スタータモータをエンジンと機械的に結合するようにしたスタータにおいて、スタータモータ１は、プラスブラシ１５のプラスブラシ側近傍の内面のみに絶縁部材２４が配設されている。【選択図】図２
2010114954.tif 000002
【特許請求の範囲】
【請求項１】
回転軸の一端を支承するブラケット内に、整流子と、この整流子の周りにこれと当接するように配置され、外部電源に接続されるプラスブラシと、このプラスブラシと対向して配置されたマイナスブラシを収容した直流電動機からなるスタータモータと、
このスタータモータの外部に取り付けられ、上記外部電源と上記プラスブラシとの間を電気的に開閉するスタータスイッチとを備え、
エンジン始動時に上記スタータスイッチを介して上記外部電源により上記スタータモータを駆動すると共に、上記スタータモータをエンジンと機械的に結合するようにしたスタータにおいて、
上記スタータモータは、上記ブラケットのプラスブラシ側近傍の内面のみに絶縁部材が配設されていることを特徴とするスタータ。
【請求項２】
上記絶縁部材は、上記プラスブラシを支持するブラシホルダーの軸方向幅以上の範囲に配設されていることを特徴とする請求項１記載のスタータ。
【請求項３】
上記絶縁部材は、上記整流子の中心から上記ブラシホルダーのブラシ保持部外周及びブラシスプリング外周を延長し、上記ブラケット内面と接する点間の幅以上の範囲に配設されていることを特徴とする請求項１または２記載のスタータ。
【請求項４】
上記絶縁部材は、絶縁テープで構成され、上記ブラケットの内面に貼り付けられていることを特徴とする請求項１乃至３のいずれか一つに記載のスタータ。
【請求項５】
上記絶縁テープは、ガラス繊維を編みこんだガラスクロステープであって、編み形状の異なるテープ、あるいは同一の編み形状で編み目の方向をずらしたテープを２枚以上重ね合わせて貼り付けされていることを特徴とする請求項４記載のスタータ。
【請求項６】
上記絶縁部材は、上記ブラケットと一体形成された絶縁樹脂で構成されていることを特徴とする請求項１乃至３のいずれか一つに記載のスタータ。
【請求項７】
上記絶縁部材は、上記ブラケットの内面に形成された凹部内に配設されていることを特徴とする請求項１乃至６のいずれか一つに記載のスタータ。
【請求項８】
上記絶縁部材の端から上記プラスブラシのピグテールが結線されたフィールドコイルの渡り線までの間に別の絶縁部材を配設したことを特徴とする請求項１乃至７のいずれか一つに記載のスタータ。
【発明の詳細な説明】
【技術分野】
【０００１】
本発明は、エンジンを始動させるスタ−タに関するものである。
【背景技術】
【０００２】
従来、この種のスタータにおいては、スタータモ−タとして直流電動機が用いられており、ブラシ摩耗粉がブラケット内面に溜まり、プラスブラシを整流子に押圧付勢するブラシスプリングとブラケット間で電気的にリークする可能性がある。このため、両者間にある一定以上の隙間を確保する必要があり、これによりブラシ長さに制限ができ、耐久性の支障となっていた。
また、何らかの要因によりスタータモータ部へ連続して通電されたとき整流子が遠心力及び熱影響により破壊することがある。このときプラスブラシ側のブラシ、金属製のブラシスプリング及びブラシホルダーがブラケット内面と接触して短絡することがあれば、短絡部より上流（例えばスタータモータ外部のコネクタ）に大電流が流れ、大きな熱ダメージを受ける惧れがあった。
【０００３】
このための対策の一つとして、例えば特許文献１に示されるように、直流電動機のフレームとブラシとの絶縁抵抗を確保するため、ブラシ装置に対向するフレーム内周面に絶縁板を取り付けることが提案されている。
【０００４】
【特許文献１】特開平１０−１９１５８９号公報
【発明の開示】
【発明が解決しようとする課題】
【０００５】
しかし、特許文献１に示される構造では、外部電源に接続されるリード線をフレームより引き出す構造のため、この引出し部分が絶縁できず、上記のような短絡故障には対処できない上、絶縁板をフレーム内面にＣ字状に配置するため、フレームとブラシスプリングとの隙間が減少し、組み付け性等を考慮してブラシの長さを短くする必要があり、耐久性に支障があった。
【０００６】
本発明は、上述のような問題を解決するためになされたものであり、安定した絶縁性を確保でき、耐リーク性に優れたスタータを提供することを目的とするものである。
【課題を解決するための手段】
【０００７】
本発明に係るスタータは、回転軸の一端を支承するブラケット内に、整流子と、この整流子の周りにこれと当接するように配置され、外部電源に接続されるプラスブラシと、このプラスブラシと対向して配置されたマイナスブラシを収容した直流電動機からなるスタータモータと、このスタータモータの外部に取り付けられ、上記外部電源と上記プラスブラシとの間を電気的に開閉するスタータスイッチとを備え、エンジン始動時に上記スタータスイッチを介して上記外部電源により上記スタータモータを駆動すると共に、上記スタータモータをエンジンと機械的に結合するようにしたスタータにおいて、上記スタータモータは、上記ブラケットのプラスブラシ側近傍の内面のみに絶縁部材が配設されているものである。
【発明の効果】
【０００８】
本発明に係るスタータによれば、安定した絶縁性を確保でき、耐リーク性に優れたスタータを容易に得ることができる。
【発明を実施するための最良の形態】
【０００９】
実施の形態１．
図１は本発明の実施の形態１に係るスタータの全体構造を示す縦断面図、図２は実施の形態１を示す要部側断面図、図３は、図２のＡ−Ａ線に沿った要部縦断面図である。
図１において、スタータは、回転力を発生するスタータモータ１と、このスタータモータ１の回転を減速して出力する遊星減速装置２と、遊星減速装置２の出力軸３に配置するオーバーランニングクラッチ４と、このオーバーランニングクラッチと一体的に出力軸３上を摺動可能に設けられたピニオン５が設けられている。また、スタータは、スタータモータ１への通電を行い、シフトレバー６を介してオーバーランニングクラッチ４と一体にピニオン５をエンジンのリングギヤ７側へ付勢するスタータスイッチ８が設置されている。
このスタータスイッチ８は、スタータモータ１および遊星減速装置２の外周に位置し、その中心軸が出力軸３と略平行に配置されている。
【００１０】
スタータモータ１は、フレーム１１に固定され、フィールドコイル１２ａを有する固定子１２と、固定子１２に対し回転軸１４を支承された回転子１３とを有し、回転子１３の反負荷側を支承するブラケット１５内に、回転軸１４に取り付けられた整流子１６と、ブラケット１５の内周面との間に間隙を介して取り付けられたブラシ装置１７を収容している。
【００１１】
ブラシ装置１７は、図２，３に示すように、整流子１６の周りに９０度間隔で配置された一対のプラスブラシ１８と、一対のマイナスブラシ１９とを有している。
これらのブラシ１８，１９はそれぞれ金属製のベース２０に樹脂プレート２１を介して金属製のブラシホルダー２２により保持され、ブラシホルダー２２の一部に配置された金属製のブラシスプリング２３により整流子１６に押し付けられている。
【００１２】
そして、ブラシ装置１７全体を包囲するブラケット１５のプラスブラシ１８側近傍の内面には、例えば粘着性の絶縁テープからなる絶縁部材２４が貼り付けられて配置されている。
この絶縁部材２４が配置されている範囲は、軸方向はプラスブラシ１８を支持するブラシホルダー２２の軸方向幅（図３のＡ）以上とし、幅方向は整流子１６の中心からブラシホルダー２２のブラシ保持部外周及びブラシスプリング２３外周を延長しブラケット１５内面と接する点間の幅（図２のＢ）以上とする。
絶縁部材２４は、ガラス繊維を編みこんだガラスクロステープであって、図４に示す編み形状の異なる絶縁テープ２４ａ，２４ｂ、あるいは図５に示す同一の編み形状で編み目の方向をずらした絶縁テープ２４ｃ，２４ｄを２枚以上重ね合わせて貼り付けられている。
【００１３】
図６はスタータの概略回路図を示す。図６において、外部電源であるバッテリ３０にはキースイッチ３１が接続され、このキースイッチ３１のＯＮ／ＯＦＦによりスタータリレー３２がＯＮ／ＯＦＦする。スタータリレー３２の一方側はバッテリ３０に接続され、他方側はスタータスイッチ８に接続されている。
スタータスイッチ８の一方側（Ｂ端子）はバッテリ３０に接続され、他方側（Ｍ端子）はフィールドコイル１２ａを介してスタータモータ１のプラスブラシ１８に接続されている。
【００１４】
このような構成において、キースイッチ３１がＯＮされるとスタータリレー３２及びスタータスイッチ８が付勢され、ピニオン５の端面がリングギヤ７の端面に当接すると共に、スタータモータ１が駆動され、ピニオン５が高回転することにより、リングギヤ７を介してエンジンをクランキングする。
【００１５】
このような動作において、何らかの要因によりスタータモータ１へ連続して通電され整流子１６が遠心力及び熱影響により破壊した場合、プラスブラシ１８側のブラシ、金属製のブラシスプリング２３及びブラシホルダー２２がブラケット１５内面と接触して短絡することがあれば、短絡部より上流（例えばスタータモータ外部のコネクタ）に大電流が流れ、大きな熱ダメージを受ける惧れがあるが、この実施の形態１では、ブラケット１５のプラスブラシ１８側近傍の内面に絶縁部材２４が配設されているので、上記のような短絡故障が効果的に防止され、耐リーク性に優れたスタータを得ることができる。
【００１６】
また、この絶縁部材２４の配置範囲は、軸方向はプラスブラシ１８を支持するブラシホルダー２２の軸方向幅（図３のＡ）以上とし、幅方向は整流子１６の中心からブラシホルダー２２のブラシ保持部外周及びブラシスプリング２３外周を延長しブラケット１５内面と接する点間の幅（図２のＢ）以上としているため、絶縁部材２４を特定の範囲に配置するだけで短絡故障を確実に防止できる。
【００１７】
更に、絶縁部材２４は、粘着性の絶縁テープを２枚以上重ね合わせて貼り付けられているので、ブラケット１５内面の所定の範囲に容易に取り付けることができる。
【００１８】
実施の形態２．
図７及び８は、本発明の実施の形態２を示す要部側断面図及び要部縦断面図で、絶縁部材２４として実施の形態１のように絶縁テープを貼り付ける代わりに、ブラケット１５のプラスブラシ１８側近傍の内面に絶縁樹脂２４ｅをブラケット１５と一体に形成するなどの方法で組み付けるようにしたものである。
この実施の形態２によれば、実施の形態１と同様に、容易に短絡故障を回避できモータ外部にあるコネクタの熱ダメージをなくすことができる。
【００１９】
実施の形態３．
図９は、本発明の実施の形態３を示す要部側断面図で、実施の形態１において絶縁部材２４が設けられるブラケット１５のプラスブラシ１８側近傍の内面に、絶縁部材２４を所定の位置に配置するための位置決めとなる凹部３３を設けたものである。
即ち、ブラケット１５のプラスブラシ１８側近傍の内面において、絶縁部材２４の配置範囲、即ち軸方向はプラシブラシ１８を支持するブラシホルダ−２２の軸方向幅以上、幅方向は整流子中心からブラシホルダー２２のブラシ保持部外周及びブラシスプリング外周を延長しブラケット１５の内面と接する点間の幅以上に対応する範囲に、絶縁部材２４を収容する凹部３３を形成したものである。
この実施の形態３によれば、絶縁部材２４をブラケット１５のプラスブラシ１８側近傍の内面の所定位置に正確かつ容易に配設することができる。
【００２０】
実施の形態４．
図１０は、本発明の実施の形態４を示す要部縦断面図で、実施の形態１の構成に加え、ブラケット１５に配置した絶縁部材２４の端からプラスブラシのピグテール１８ａが結線されたフィールドコイル１２ａの渡り線１２ｂまでの間に別の絶縁部材３４（例えば樹脂）を配設したものである。
この実施の形態４によれば、実施の形態１と同様に、短絡故障を回避できスタータモータ外部にあるコネクタの熱ダメージをなくすことができる上に、更に安定した絶縁性を確保できる利点がある。
【図面の簡単な説明】
【００２１】
【図１】本発明の実施の形態１に係るスタータの全体構造を示す縦断面図である。
【図２】実施の形態１を示す要部側断面図である。
【図３】図２のＡ―Ａ線に沿った要部縦断面図である。
【図４】実施の形態１における絶縁テープの一例を示す平面図である。
【図５】実施の形態１における絶縁テープの他の例を示す平面図である。
【図６】実施の形態１におけるスタータの概略回路図である。
【図７】本発明の実施の形態２を示す要部側断面図である。
【図８】図７のＢ―Ｂ線に沿った要部縦断面図である。
【図９】本発明の実施の形態３を示す要部側断面図である。
【図１０】本発明の実施の形態４を示す要部縦断面図である。
【符号の説明】
【００２２】
１：スタータモータ、２:遊星減速装置、３：出力軸、４：オーバーランニングクラッチ、５：ピニオン、６：シフトレバー、７：リングギア、８：スタータスイッチ、１１：フレーム、１２：固定子、１２ａ：フィールドコイル、１２ｂ：渡り線、１３：回転子、１４:回転軸、１５：ブラケット、１６：整流子、１７：ブラシ装置、１８：プラスブラシ、１９：マイナスブラシ、２０：ベース、２１：樹脂プレート、２２：ブラシホルダー、２３：ブラシスプリング、２４：絶縁部材、２４ａ〜２４ｄ：絶縁テープ、２４ｅ：絶縁樹脂、３０：バッテリ、３１：キースイッチ、３２：スタータリレー、３３：凹部、３４：絶縁部材
【図１】
2010114954.tif 000003
【図２】
2010114954.tif 000004
【図３】
2010114954.tif 000005
【図４】
2010114954.tif 000006
【図５】
2010114954.tif 000007
【図６】
2010114954.tif 000008
【図７】
2010114954.tif 000009
【図８】
2010114954.tif 000010
【図９】
2010114954.tif 000011
【図１０】
2010114954.tif 000012